(57)【要約】      （修正有）【課題】各種機能を有するアタッチメントの交換を手軽に行えるようにし、且つ、専用の充電器を用いることなくバッテリの充電を可能にすることで、拡張性の良い便利な折り畳み式携帯電話を提供する。【解決手段】第一の筐体２と第二の筐体３とがヒンジ部４を介して開閉可能に連結されている折り畳み式携帯電話１において、第一の筐体２に、折り畳んだ際に第二の筐体３と相対する筐体内面７ａの反対に位置する筐体外面９ａに、コンセントに接続することによって、第二の筐体３に内蔵されているバッテリ９に充電可能な電源プラグ１０を設けて、同電源プラグ１０を介してアタッチメントの着脱を可能にする。【選択図】図１
0003132098.tif 000002
【実用新案登録請求の範囲】
【請求項１】
二つの筐体がヒンジ部を介して開閉可能に連結されている折り畳み式携帯電話であって、
少なくとも一方の筐体に、折り畳んだ際に他方の前記筐体と相対する筐体内面の反対に位置する筐体外面に、コンセントに一対の端子刃を接続することによって、少なくとも一方の前記筐体に内蔵されているバッテリに充電可能な電源プラグが設けられており、同電源プラグを介してアタッチメントの着脱が可能になっていることを特徴とする折り畳み式携帯電話。
【請求項２】
前記一対の端子刃を前記アタッチメントに設けた一対の接続口にそれぞれ差し込むことにより、前記電源プラグと前記アタッチメントとが連結されることを特徴とする請求項１記載の折り畳み式携帯電話。
【請求項３】
前記一対の端子刃の先端部にはそれぞれ、コンセント内で係止される抜け止め用の穴が設けられており、これらの前記抜け止め用の穴とアタッチメントに設けた接続部とが軸を介して連結されることを特徴とする請求項１記載の折り畳み式携帯電話。
【請求項４】
前記電源プラグが、前記一対の端子刃が固定された可動部と、同可動部を両方の前記端子刃に直交する軸と平行な軸周りに回転可能に支える支持部とからなり、同支持部が前記筐体に対し、前記可動部と同一方向に回転可能に取り付けられており、前記筐体外面に開口する孔を形成することにより設けた収納部に収納可能であることを特徴とする請求項１〜３のいずれかに記載の折り畳み式携帯電話。
【請求項５】
前記電源プラグが、一対の端子刃が固定された可動部とからなり、同可動部が前記筐体に対し、両方の前記端子刃に直交する軸と平行な軸周りに回転可能に取り付けられ、前記筐体外面に開口する孔を形成することにより設けた収納部に収納可能であることを特徴とする請求項１〜３のいずれかに記載の折り畳み式携帯電話。
【請求項６】
前記筐体に係止部が設けられており、前記アタッチメントが、前記電源プラグに連結されるとともに、前記アタッチメントに設けた係合部を前記係止部に係止させることにより取り付けられることを特徴とする請求項１〜５のいずれかに記載の折り畳み式携帯電話。
【請求項７】
前記筐体外面において一端部に前記電源プラグが設けられるとともに他端部に前記係止部が設けられ、同係止部は前記端子刃側面と平行な方向に長さを有する断面あり状の溝であって、同溝は前記他端部から一端を外部に臨ませており、この溝の一端を開閉するストッパが、閉じる方向に付勢された状態で前記他端部に設けられ、
前記係合部は、取り付けたときに前記筐体外面と相対する面に設けられ、前記係止部と同一方向に長さを有する断面あり状の突出部であり、
前記係合部を、前記ストッパを開状態にして前記係止部内に滑り込ませることによって前記係止部に係止させることを特徴とする請求項６に記載の折り畳み式携帯電話。
【請求項８】
前記電源プラグが前記第一の筐体と前記第二の筐体との両方に設けられていることを特徴とする請求項１〜７のいずれかに記載の折り畳み式携帯電話。
【考案の詳細な説明】
【技術分野】
【０００１】
本考案は、二つの筐体がヒンジ部を介して開閉可能に連結されている折り畳み式携帯電話の技術に関する。
【背景技術】
【０００２】
折り畳み式（フリップ式とも呼ばれる）携帯電話は、液晶のディスプレイ等が設けられている第一の筐体と、電話番号をダイヤルしたり、メール等の文字入力を行う操作キー等が設けられている第二の筐体とがヒンジ部を介して連結されている。そして、携帯電話を使って電話やメールをする場合は、第一の筐体を第二の筐体に対して開いた状態にし、使用しないときには、第一の筐体と第二の筐体とを閉じて折り畳む。携帯電話に装着されているバッテリの充電は、コンセントに接続する電源プラグとバッテリの給電口に接続するアダプタとを備えた専用の充電器により行われている。
【０００３】
ところで、携帯電話の普及率は約８０％と高く、特に若い世代ではほぼ１人１台の割合で携帯電話を所有している。これらの携帯電話の利用者の多くは、いつでも電話やメールを受け取ることができるように、携帯電話を常に自分の手の届くところに置いている。このように、いつも身近に置いている携帯電話を活用する様々な提案がなされている。例えば、鏡、口紅、ファンデーション、アイシャドウのような化粧用具を備えた携帯電話や（例えば、特許文献１参照）、ライター付き携帯電話（例えば、特許文献２参照）、芳香剤の噴霧装置を備えた携帯電話（例えば、特許文献３参照）などである。
【特許文献１】特開２００５−１１７２４８号公報（第４〜５頁、第１図）
【特許文献２】特開２００５−０６１６７１号公報（第５頁、第１図）
【特許文献３】特開２００６−０１９７９４号公報（第５頁、第１図）
【考案の開示】
【考案が解決しようとする課題】
【０００４】
しかしながら、上記したような携帯電話は、各機能を有する器具や装置が携帯電話の筐体と一体型になっているため、別の機能を有する器具や装置に変更する場合は、携帯電話自体を交換する必要がある。また、バッテリの充電は専用の充電器が必要になるため、充電器が手元にない場合は充電できないか、取扱店に行って充電しなければならない不便さがある。
【０００５】
そこで本考案は、各種機能を有するアタッチメントの交換を手軽に行えるようにし、且つ、専用の充電器を用いることなくバッテリの充電を可能にすることで、拡張性の良い便利な折り畳み式携帯電話を提供することを目的としている。
【課題を解決するための手段】
【０００６】
請求項１の折り畳み式携帯電話は、二つの筐体がヒンジ部を介して開閉可能に連結されている折り畳み式携帯電話であって、少なくとも一方の筐体に、折り畳んだ際に他方の前記筐体と相対する筐体内面の反対に位置する筐体外面に、コンセントに一対の端子刃を接続することによって、少なくとも一方の前記筐体に内蔵されているバッテリに充電可能な電源プラグを設けて、同電源プラグを介してアタッチメントの着脱を可能にすること特徴としている。
【０００７】
この請求項１にかかる折り畳み式携帯電話によれば、前記アタッチメントを着脱可能にすることによって、一台の携帯電話に対して各種機能を有したアタッチメントに交換することができるので、機能の拡張性を高めることができる。また、前記電源プラグを備えているので、専用の充電器が不要となり、手軽に充電を行うことができる。さらに、前記電源プラグを利用して前記アタッチメントの装着を行うため、別途連結部を設ける場合のように構造が複雑化することを避けることができる。
【０００８】
前記アタッチメントとしては、例えば、鏡・ファンデーションやパフ等を備えたコンパクト・香水容器等の化粧用具や、シェーバー・くし・マウススプレー容器等の身だしなみ用具、防犯用ブザー・防犯用スプレー等の防犯用具、ライター、小銭・札・薬等を入れる小物入れ、メモリカード用のケース、ボイスレコーダ、衣服に装着するためのクリップ、大容量バッテリパックなどがあげられる。
【０００９】
なお、前記電源プラグは前記第一の筐体及び前記第二の筐体の両方に設けることもでき、したがって、前記アタッチメントも両方の前記筐体に設けることができる。また、前記バッテリについても、前記第一の筐体及び前記第二の筐体の両方に内蔵することもできる。
【００１０】
請求項２にかかる折り畳み式携帯電話は、一対の端子刃を前記アタッチメントに設けた一対の接続口にそれぞれ差し込むことにより、前記電源プラグと前記アタッチメントとを連結することを特徴としている。この請求項２の折り畳み式携帯電話によれば、前記アタッチメントと前記電源プラグとが連結しやすくなる。
【００１１】
請求項３にかかる折り畳み式携帯電話は、一対の端子刃の先端部にはそれぞれ、コンセント内で係止される抜け止め用の穴を設けて、これらの前記抜け止め用の穴とアタッチメントに設けた接続部とを軸を介して連結することを特徴としている。この請求項３の折り畳み式携帯電話によれば、前記電源プラグと前記アタッチメントとを前記軸を介して連結することができるため、緩み等による前記アタッチメントの脱落を防止することができる。
【００１２】
請求項４にかかる折り畳み式携帯電話は、電源プラグを、一対の端子刃が固定された可動部と、同可動部を両方の前記端子刃に直交する軸と平行な軸周りに回転可能に支持する支持部とで構成し、同支持部を前記筐体に対し、前記可動部と同一方向に回転可能に取り付け、前記筐体外面に開口する孔を形成することにより設けた収納部に収納可能にすることを特徴としている。
【００１３】
請求項５にかかる折り畳み式携帯電話は、電源プラグを、一対の端子刃が固定された可動部で構成し、同可動部を前記筐体に対し、両方の前記端子刃に直交する軸と平行な軸周りに回転可能に取り付け、前記筐体外面に開口する孔を形成することにより設けた収納部に収納可能にすることを特徴としている。
【００１４】
これらの請求項４の折り畳み式携帯電話及び請求項５の折り畳み式携帯電話によれば、前記電源プラグを折り畳んで前記収納部に収納することができるため、不使用の前記電源プラグが前記携帯電話の操作性を阻害することがない。また、前記電源プラグに前記支持部が設けられている請求項５の折り畳み携帯電話は特にそうであるが、前記電源プラグの可動範囲が増すため、前記アタッチメントの着脱やコンセントに対して抜き差ししやすくなる。
【００１５】
請求項６にかかる折り畳み式携帯電話は、筐体に係止部を設け、前記アタッチメントを、電源プラグに連結するとともに、前記アタッチメントに設けた係合部を前記係止部に係合することにより取り付けることを特徴としている。この請求項６の折り畳み式携帯電話によれば、前記アタッチメントの不用意な脱落を防止することができる。
【００１６】
請求項７にかかる折り畳み式携帯電話は、筐体外面において一端部に前記電源プラグが設けるとともに他端部に前記係止部を設け、同係止部を前記端子刃側面と平行な方向に長さを有する断面あり状の溝とし、同溝を前記他端部から一端を外部に臨ませ、この溝の一端を開閉するストッパを、閉じる方向に付勢された状態で前記他端部に設ける。一方、前記係合部を、取り付けたときに前記筐体外面と相対する面に設けられ、前記係止部と同一方向に長さを有する断面あり状の突出部とし、前記係合部を、前記ストッパを開状態にして前記係止部内に滑り込ませることによって前記係止部に係止させることを特徴としている。
【００１７】
この請求項７の折り畳み式携帯電話によれば、前記係止部内に滑り込ませた前記係合部は、前記ストッパが閉じることによって前記係止部内に確実に保持されるため、前記アタッチメントの不用意な脱落を防止することができる。
【００１８】
請求項８にかかる折り畳み式携帯電話は、電源プラグを第一の筐体と第二の筐体との両方に設けることを特徴としている。この請求項８の折り畳み式携帯電話によれば、前記アタッチメントを前記第一の筐体と前記第二の筐体の両方に設けることができる。
【考案の効果】
【００１９】
請求項１の折り畳み式携帯電話は、使用者の好みに応じて機能を付加することができ、また、コンセントさえあれば何処でも充電することができる。しかも、アタッチメントの取り付けは電源プラグを介して行うので、別途取り付け部を設けることによって構造が複雑化することを避け、コストを押さえることができる。
【００２０】
請求項２の折り畳み式携帯電話は、アタッチメントの交換が簡単且つ手軽に行える。
【００２１】
請求項３の折り畳み式携帯電話は、アタッチメントの紛失を避けることができる。
【００２２】
請求項４及び請求項５の折り畳み式携帯電話は、使い易さが向上する。
【００２３】
請求項６の折り畳み式携帯電話は、アタッチメントの紛失を避けることができる。
【００２４】
請求項７の折り畳み式携帯電話は、係合部と係止部との厚みを抑えることができ、薄型の携帯電話に適用した場合でも、内部構造に与える影響が少なく、設計や製造がしずらくなることを避けることができる。
【００２５】
請求項８の折り畳み式携帯電話は、拡張性を高めることができる。
【考案を実施するための最良の形態】
【００２６】
以下に、本考案にかかる折り畳み式携帯電話の実施形態について、図１〜１１を参照しつつ説明する。図１及び２に示すように、フリップ式とも呼ばれる折り畳み式の携帯電話１は、略長方形で平たい形状の第一の筐体２と第二の筐体３とが、長手方向の一端部においてヒンジ部４を介して開閉可能に連結されている。
【００２７】
第一の筐体２のヒンジ部４側は二股形状になっており、その先端部には連結軸５を挿通するための軸筒部６がそれぞれ設けられていて、折り畳まれたときに第二の筐体３と相対する面（以下、筐体内面７ａ）には、図示しない液晶のカラーディスプレイが設けられている。一方、第二の筐体３は、ヒンジ部４側の幅方向両端部を長手方向に突出させた形状になっており、突出した部分の各先端部には連結軸５を挿通する軸筒部８が設けられていて、第一の筐体２と相対する面（以下、筐体内面７ｂ）には電話番号をダイヤルしたり、文字入力などを行う操作キー（図示省略）が配設されている。この第二の筐体３にバッテリ９が内蔵されている。なお、バッテリは第一の筐体２及び第二の筐体３の両方に設けておくこともできるし、当然ながら第一の筐体２のみに設けておくこともできる。
【００２８】
上記ヒンジ部４は、連結軸５に第一の筐体２の軸筒部６と第二の筐体３の軸筒部８とを挿通して、第一の筐体２と第二の筐体３とを連結軸５に対して揺動可能にした構造で、第一の筐体２に設けられている軸筒部６は、長手方向の二箇所で分断されており、この分断された箇所に第二の筐体３の軸筒部８が嵌り込んだ状態になっている。
【００２９】
そして、第一の筐体２には、筐体内面７ａの反対に位置する筐体外面９ａに、コンセントに接続可能な電源プラグ１０が設けられている。この電源プラグ１０は、一対の端子刃１１が固定されている可動部１２と、同可動部１２を両側から支持するとともに可動部１２を両方の端子刃１１に直交する軸と平行な軸周りに回転可能に支持している一対の板状部材からなる支持部１３とで構成されている。支持部１３を構成している各板状部材は長方形状に形成されており、長手方向の一端部が可動部１２と連結され、他端部は第一の筐体２に設けられている電源プラグ用の収納部１４内において、携帯電話１の開閉方向と同方向に回転可能に取り付けられている。
【００３０】
収納部１４は、第一の筐体１の二股形状になっている間の部分に設けられており、電源プラグ１０を折り畳んだ状態で収納可能になっている。即ち、支持部１３をヒンジ部４側に回転させる一方（図１（ｃ））、可動部１２をヒンジ部４と反対側に回転させて電源プラグ１０を折り畳めば収納部１４に収めることができる（図１（ｂ））。したがって、不使用の電源プラグ１０が携帯電話の操作を妨げることがない。また、第一の筐体１のヒンジ部４側を二股形状にしているため、端子刃１１の向きをヒンジ部４の方に向けることができるので充電がしやすくなる。なお、収納部１４は、第一の筐体１の厚み方向において、筐体内面７ａ側の厚みを僅かに残した状態にして、残りの厚み分を二股形状とすることもできる。
【００３１】
また、第一の筐体２には、筐体外面９ａにおけるヒンジ部４と反対の筐体先端部に、断面あり状の溝を第一の筐体２の長手方向（端子刃１１の側面に平行な方向）に形成することにより係止部１５が設けられている（図１（ａ）、（ｄ））。この係止部１５は、第一の筐体２のほぼ幅方向中央部に位置し、溝の一端を筐体先端部から外部に臨ませた形状になっている。
【００３２】
そして、第一の筐体２の筐体先端には、外部に臨ませている係止部１５の端を塞ぐことができるストッパ１６が、第一の筐体２の幅方向にスライド可能に取り付けられている。ストッパ１６は係止部１５を塞ぐ方向に付勢されており、付勢方向と逆方向にスライドさせることによって、係止部１５の端を開放し外部に臨ませることができる。
【００３３】
このように、筐体外面９ａに電源プラグ１０と係止部１５とが設けられている第一の筐体２には、各種アタッチメントの取り付けを行うことができる。例えば、身なり整えるための鏡や、ファンデーションなどを備えた化粧用のコンパクト、香水用容器、ケースからワンプッシュで飛び出すくし、マウススプレー用容器、シェーバー、ライター、小銭や札・薬等を入れることができる小物ケース、メモリカード用ケース、防犯ブザー、防犯スプレー用容器、ボイスレコーダ、ベルト等に取り付けたり、メモ用紙を挟むためのクリップ、大容量のバッテリなどである。
【００３４】
アタッチメントは、例えば、次のような形状を有している。即ち、図２（ａ）に示すように、アタッチメント１００は、第一の筐体２の大きさに対応した略長方形の平たい形状に形成されており、長手方向の一方の端面には電源プラグ１０の各端子刃１１をそれぞれ挿入することができる一対の接続口１０１が設けられている。また、接続口１０１と反対の端部には、第一の筐体２に取り付けたときに筐体外面９ａと相対する面１０２に、長手方向に連続する断面あり状の突出部を形成することによって、第一の筐体２の係止部１５に着脱可能に係合する係合部１０３が設けられている（図２（ａ）、（ｂ））。この係合部１０３は、断面が係止部１５に比べてやや小さくなっており、外部に臨ませた側の端から係止部１５内に滑り込ませることで係止部１５に係止され、第一の筐体２の厚み方向に抜けないようになっている。
【００３５】
アタッチメント１００の取り付けは、まず電源プラグ１０の支持部１３をヒンジ部４側に回転させて直立状態にするとともに（図１（ｃ））、可動部１２を支持部１３と反対方向に回転させることにより、一対の端子刃１１を第一の筐体２に対し平行の状態にする。そして、ストッパ１６を移動させて係止部１５の端を開放状態にし、接続口１０１を一対の端子刃１１に対向させたアタッチメント１００を、その係合部１０３を係止部１５内に滑り込ませながらヒンジ部４側に移動させ、各接続口１０１に端子刃１１それぞれ挿入するように電源プラグ１０に連結する。このとき、ストッパ１６は係合部１０３が係合部１５内に完全に収まると元の位置に復帰するため、係合部１０３が係止部１５内に保持されて、アタッチメント１００の不用意な脱落が防止される。アタッチメント１００と電源プラグ１０との連結は、一対の端子刃１１を一対の接続口１０１に接続する構造であるため、連結しやすくなっている。
【００３６】
一方、アタッチメント１００の取り外しは、ストッパ１６を移動させて係止部１５の端を開いた状態にし、アタッチメント１００をヒンジ部４と反対側に移動させて、係合部１０３を係止部１５から引き出しつつ、端子刃１１と接続口１０１とを分離することにより行う。
【００３７】
バッテリ９の充電は、アタッチメント１００を電源プラグ１０から取り外したうえで、一対の端子刃１１をコンセントに差し込めば自動的に行うことができる。電源プラグ１０を介して取り入れられた交流電流は、図示しないコンバータで直流電流に変換されてバッテリ９に蓄えられる。
【００３８】
次に、本考案にかかる携帯電話の変形例を説明する。なお、上記実施形態と同一又は相当するものは同一の符号で示している。図２（ｃ）に示す携帯電話１’は、第一の筐体２’に設けられている電源プラグ１０’が一対の端子刃１１と可動部１２とからなり、可動部１２が直接収納部１４に取り付けられている。アタッチメント１００’は、第一の筐体２に取り付けたときにヒンジ部４側の端部に設けた接続部１０１’と、電源プラグ１０’の端子刃１１とがピン結合されることにより、電源プラグ１０’と連結される。このように、ピン結合を用いれば、アタッチメント１００’の不用意な脱落を防止できる。
【００３９】
また、取り付けたときに第一の筐体２の筐体外面９ａと相対する面における接続部１０１’と反対の端部に、先端部を屈曲させてつめを設けた係合部１０３’が設けられている。一方、この係合部１０３’と係脱可能な係止部１５’が、第一の筐体２の筐体外面９ａにおいてヒンジ部４と反対の端部に形成した凹部内に設けられている。係止部１５ａ’にもつめが突出して設けられており、係止部１５ａ’のつめと係合部１０３’のつめとが係合するようになっている。したがって、アタッチメント１００’は電源プラグ１０’とのピン結合及び係合部１０３’と係止部１５’との係合によって、第一の筐体２の筐体外面９ａに取り付けられている。
【００４０】
上記の携帯電話１及び携帯電話１’は第一の筐体２（２’）にのみにアタッチメント１００（１００’）が取り付けられるようになっている実施形態を示したものであるが、第一の筐体２と第二の筐体３との両方にアタッチメント１００を取り付け可能な構造とすることができる。
【００４１】
例えば、図３に示すように、第二の筐体３の筐体内面７ｂと反対の筐体外面９ｂに、電源プラグ１０と係止部１５及びストッパ１６を、第一の筐体２の筐体外面９ａと同じようにして設ける（図３（ａ））。この場合、第二の筐体３のヒンジ側４の端部は、第一の筐体２と同様に二股形状になっている。そして、アタッチメント１００を第一の筐体２と同様にして第二の筐体３に取り付ける（図３（ｂ））。こうすれば、携帯電話１の機能の拡張性を高めることができる。
【００４２】
ところで、上記の携帯電話１は電源プラグ１０をコンパクトに折り畳むことができるため、収納部１４を小さくできるメリットを有しているが、アタッチメント１００の長手方向の長さが短くなるデメリットもある。このデメリットを解消し長いアタッチメント１００を取り付け可能とするには、図４に示すように、電源プラグ１０の収納部１４において支持部１２をヒンジ部４寄りに取り付ける。こうすると、支持部１３をヒンジ部４側に回転させて直立状態にし、且つ、可動部１２をヒンジ部４と反対に回転させて一対の端子刃１１を第一の筐体２の筐体外面９ａと平行にしたときに、端子刃１１がヒンジ部４寄りの配置となるからである（図４（ｃ））。よって、長いアタッチメント１００を取り付けることが可能になる（図４（ｂ））。
【００４３】
この場合も上記同様、第二の筐体３の筐体外面９ｂに電源プラグ１０と係止部１５及びストッパ１６を第一の筐体２と同じように設けて、アタッチメント１００を取り付けて機能を拡張することができる（図５（ａ））。なお、第二の筐体３の電源プラグ１０を図１（ｂ）のように設けて、電源プラグ１０の位置が第一の筐体２と第二の筐体３とで異なるように構成することもできる（図５（ｂ））。
【００４４】
次に、薄型タイプの折り畳み式携帯電話１の場合を説明する。図６に示すように、第一の筐体２及び第二の筐体３はヒンジ部４側が二股形状になっており、その間の第一の筐体２及び第二の筐体３にできた空間が電源プラグ１０の収納部１４になっている。そして、収納部１４の内側に電源プラグ１０の支持部１３の一端部が回転可能に取り付けられている。電源プラグ１０は、支持部１３をヒンジ部４と反対に倒して携帯電話１の長手方向と平行にし、且つ、可動部１２を支持部１３と反対方向に回転させて端子刃１１を前記長手方向と平行にすることによって、収納部１４に収めることができる（図６（ｂ））。なお、図４（ａ）のように、端子刃１１が収まる部分を、第一の筐体２及び第二の筐体３に設けておけば、可動部１２を支持部１３と反対方向に回転させて、電源プラグ１０を収納部１４に収納することができる。
【００４５】
この携帯電話１にアタッチメント１００を取り付ける場合には、支持部１３をヒンジ部４側に回転させて直立状態にするとともに、可動部１２をヒンジ部４と反対側に回転させて端子刃１１を第一の筐体２と平行にして、アタッチメント１００（図示省略）を電源プラグ１０と連結するとともに、係合部１０３を係止部１５に係合させる。
【００４６】
また、電源プラグ１０の支持部１３を、第一の筐体２と第二の筐体３との連結軸５に取り付けることができる。図６（ｄ）に示すように、第二の筐体３の軸筒部８は筐体内面７ｂ上のヒンジ部４側に設けられて、第一の筐体２と第二の筐体３とが連結軸５を介して開閉可能に連結されている。この連結軸５に、支持部１３が第一の筐体２と第二の筐体３と共に揺動可能に取り付けられている。この構造であれば、支持部１３を３６０°回転させることができ、任意の電源プラグ１０を任意の方向に向けて充電することができる。
【００４７】
次に、アタッチメント１００について図７〜１１を参照しつつ説明する。図７（ａ）、（ｂ）は化粧用のコンパクのアタッチメントを携帯電話１（図４（ａ））に取り付けた状態を示している。このアタッチメント１００は、長方形状のトレイ１０４に上蓋１０５が長手方向における電源プラグ１０側の端部で開閉可能に取り付けられたもので、トレイ１０４にはファンデーション１０６やパフ１０７が収められており、上蓋１０８の裏面には鏡が取り付けられている。
【００４８】
図７（ｃ）、（ｄ）は香水容器とライターとが一体になったアタッチメント１００を携帯電話１に取り付けた状態を示している。このアタッチメント１００は、長手方向における電源プラグ１０側にあるボタン１０９を押し込むと、反対側の側面から香水が噴霧される仕組みになっている。また、反対側はライターになっており、キャップ１１０を開けてボタン１１１を押せば着火口１１２に火を着けることができる。
【００４９】
図８及び図９は、小物入れのアタッチメント１００を携帯電話１に取り付けた状態を示している。図８（ａ）〜（ｃ）のアタッチメント１００は高さの低い長方形の箱型形状を有し、図８（ｂ）は上蓋１１４が下容器１１３に対して幅方向の一端部で開閉可能に取り付けられており、図８（ｃ）は上蓋１１４が下容器１１３に対して長手方向における電源プラグ１０側の一端部で開閉可能に取り付けられている。図９（ａ）〜（ｄ）は引き出しタイプであり、一側面に開口部１１７を有する中空の収納ケース１１５から引き出し１１６を引き出せるようになっている。図９（ａ）、（ｂ）は引き出し１１６を長手方向に引き出すもので、図９（ｃ）、（ｄ）は引き出し１１６を幅方向に引き出すものである。
【００５０】
図１０（ａ）は防犯ブザーのアタッチメント１００を携帯電話１の第二の筐体３側に取り付けた状態を示している。なお、第一の筐体２の電源プラグ１０は収納部に収納されている。この防犯ブザーのアタッチメント１００はストラップ１１８を引けば大音量のアラーム音を鳴らすことができる。図１０（ｂ）はキーホルダーケースのアタッチメント１００を携帯電話１に取り付けた状態を示している。このキーホルダーケースのアタッチメント１００は、略長方形状で平たい中空ケース１１９の一部に出し入れ口１２０が開口されており、その内部には長手方向の電源プラグ１０側の面に、複数のフック１２１が幅方向に所定の間隔で取り付けられている。キー１２２は出し入れ口１２０から中空ケース１１９内に入れフック１２１に引っ掛けておく。
【００５１】
図１０（ｃ）、（ｄ）は、ワンプッシュで飛び出すくしのアタッチメント１００を携帯電話１に取り付けた状態を示している。ワンプッシュで飛び出すくしのアタッチメント１００は、略長方形状で平たい中空ケース１２３に、その長手方向における電源プラグ１０側とは反対の側面に開口部１２５が設けられており、図示しないボタンを押すことによって内部に収納されているくし１２４が開口部１２５から飛び出す仕組みになっている。
【００５２】
図１１（ａ）〜（ｄ）はクリップのアタッチメント１００を携帯電話１（図６（ａ））に取り付けた状態を示している。図１１（ａ）、（ｂ）に示すクリップのアタッチメント１００は、略矩形の上片１２６と下片１２７とが長手方向の一端部で開閉可能に、且つ、閉じる方向に付勢した状態で連結されたものである。このアタッチメント１００は、端子刃１１と接続口とを接続する代わりに、上片１２６と下片１２７との連結軸１２８（接続部に相当）に端子刃１１の先端部の孔１２９を嵌め込むことで連結されている。図１１（ａ）、（ｂ）のアタッチメント１００は、下片１２７を上片１２６と同様に短くして、連結軸１２８と端子刃１１とのみで連結しているものである。このように、クリップのアタッチメント１００を携帯電話１に取り付けておけば、メモを挟んだり、ズボンのベルトに装着したりすることが可能になる。
【００５３】
また、図示は省略するが、大容量のバッテリのアタッチメントを取り付けておけば、携帯電話に内蔵されているバッテリ残量がなくなっても引き続き使用することができる。この大容量のバッテリのアタッチメントに蓄えられている電力は、電源プラグから供給するように構成することができる。
【図面の簡単な説明】
【００５４】
【図１】（ａ）は本考案にかかる折り畳み式携帯電話の実施形態を示す正面図、（ｂ）は図（ａ）におけるＡ−Ａ矢視断面図、（ｃ）は図（ｂ）の支持部を直立させた状態を示す図、図（ｄ）は図（ａ）におけるＢ−Ｂ矢視部分拡大断面図。
【図２】（ａ）は図１（ａ）の折り畳み式携帯電話にアタッチメントを取り付けた状態を示す断面図、（ｂ）は図（ａ）におけるＣ−Ｃ矢視断面図、（ｃ）は本考案にかかる折り畳み式携帯電話の別の実施形態を示す断面図、図（ｄ）は図（ｃ）における係止部の部分拡大図。
【図３】（ａ）電源プラグと係止部及びストッパを第一の筐体と第二の筐体との両方に設けた携帯電話の断面図、（ｂ）は図（ａ）に示す携帯電話の第一の筐体と第二の筐体との両方にアタッチメントを取り付けた状態を示す断面図。
【図４】（ａ）は本考案にかかる携帯電話のさらに別の実施形態を示し、（ａ）は携帯電話の正面図、（ｂ）、（ｃ）は図（ａ）におけるＤ−Ｄ矢視断面図、（ｄ）はアタッチメントを第一の筐体に取り付けた状態を示す断面図。
【図５】図４の携帯電話の第一の筐体と第二の筐体との両方にアタッチメントを取り付けている状態を示す断面図、（ｂ）は第一の筐体と第二の筐体とに設けた電源プラグの位置が長手方向において異なっている携帯電話を示し、各電源プラグにアタッチメントを取り付けた状態の断面図。
【図６】本考案を薄型タイプの携帯電話に適用した実施形態を示し、（ａ）は正面図、（ｂ）は図（ａ）におけるＥ−Ｅ矢視断面図、（ｃ）は支持部を直立させた状態を示す断面図、（ｄ）は第一の筐体と第二の筐体との連結軸に電源プラグを取り付けている携帯電話の断面図、（ｅ）は図（ｄ）の電源プラグを回転させた状態の断面図。
【図７】（ａ）、（ｂ）は化粧用コンパクトのアタッチメントを取り付けた携帯電話を示し、（ａ）は上蓋を閉じた状態の斜視図、（ｂ）は蓋を開いた状態の斜視図。（ｃ）、（ｄ）は香水容器とライターとが一体になったアタッチメントが取り付けられている携帯電話を示し、（ｃ）は香水を噴霧している状態の斜視図、（ｄ）はライターのキャップを外した状態を示す斜視図。
【図８】（ａ）〜（ｃ）は蓋付きの小物入れのアタッチメントを取り付けた携帯電話を示し、（ａ）は上蓋を閉じた状態の斜視図、（ｂ）は幅方向に開閉する上蓋を開いた状態の斜視図、（ｃ）は長手方向に開閉する上蓋を開いた状態の斜視図。
【図９】（ａ）〜（ｄ）は小物入れのアタッチメントを取り付けた形態電話を示し、（ａ）は引き出しを収納している状態の斜視図、（ｂ）は引き出しを長手方向に引き出した状態の斜視図、（ｃ）は引き出しを収納している状態の斜視図、（ｄ）は引き出しを幅方向に引き出した状態の斜視図。
【図１０】（ａ）は防犯ブザーのアタッチメントを取り付けた携帯電話を示す斜視図。（ｂ）はキーホルダーケースのアタッチメントを取り付けた携帯電話を示す斜視図。（ｃ）、（ｄ）はワンプッシュでケースから飛び出すくしのアタッチメントを取り付けた携帯電話を示し、（ｃ）はくしを収納している状態の斜視図、（ｄ）はくしが飛び出した状態を示す斜視図。
【図１１】（ａ）、（ｂ）はクリップのアタッチメントを取り付けた携帯電話を示す図で、（ａ）は第二の筐体の筐体外面側から見た図、（ｂ）は側面図。（ｃ）、（ｄ）は別のクリップのアタッチメントを取り付けた携帯電話を示す図で、（ａ）は第二の筐体の筐体外面側から見た図、（ｂ）は側面図。
【符号の説明】
【００５５】
１  折り畳み式の携帯電話
２  第一の筐体
３  第二の筐体
４  ヒンジ部
１０  電源プラグ
７ａ  筐体内面
７ｂ  筐体内面
９ａ  筐体外面
９ｂ  筐体外面
１００  アタッチメント
【図１】
0003132098.tif 000003
【図２】
0003132098.tif 000004
【図３】
0003132098.tif 000005
【図４】
0003132098.tif 000006
【図５】
0003132098.tif 000007
【図６】
0003132098.tif 000008
【図７】
0003132098.tif 000009
【図８】
0003132098.tif 000010
【図９】
0003132098.tif 000011
【図１０】
0003132098.tif 000012
【図１１】
0003132098.tif 000013